(57)【要約】【課題】中方立などの戸枠部と引き戸との隙間をシール部材により塞ぐことで引き戸を閉めたときの遮蔽効果を向上しつつも、引き戸の開閉動作の一層の円滑化を図るとともに、シール部材の劣化を防止する。【解決手段】中方立５に対して左右にスライドする引き戸４と中方立との隙間を密閉する引き戸のシール装置であって、中方立５の引き戸走行側の側部に、引き戸４に対して近接・離反可能に取り付けられるフラップ１３と、フラップ１３を引き戸側に付勢するバネ１４と、フラップ１３に取り付けられて引き戸４の側面に当接するシール部材１５とを備える。さらに、引き戸４には、引き戸の開閉スライド時にフラップ１３をバネ１４の付勢力に抗して押し込む密閉解除バー１６を設ける。【選択図】  図１
2004339848.tif 000002
【特許請求の範囲】
【請求項１】
上下方向に長尺の戸枠部に対して左右にスライドする引き戸と前記戸枠部との隙間を密閉する引き戸のシール装置であって、戸枠部の引き戸走行側の側部に前記引き戸に対して近接・離反可能に取り付けられる上下方向に長尺のプレートと、該プレートを引き戸側に付勢する付勢部材と、前記プレートに取り付けられ且つ前記引き戸の戸枠部側の側面に当接するシール部材とを備える引き戸のシール装置。
【請求項２】
請求項１に記載の引き戸のシール装置において、さらに、引き戸の開閉スライド時に前記プレートを付勢部材の付勢力に抗して押し込む密閉解除部が引き戸に設けられていることを特徴とする引き戸のシール装置。
【請求項３】
請求項２に記載の引き戸のシール装置において、前記密閉解除部は左右方向に長尺であって且つ前記引き戸の戸枠部側の側面よりも戸枠部側に向けて突出しており、該密閉解除部が当接する前記プレートの部分には前記シール部材が設けられておらず、引き戸が閉位置にあるときは前記密閉解除部は前記プレートから離反することを特徴とする引き戸のシール装置。
【請求項４】
請求項１，２又は３に記載の引き戸のシール装置において、前記プレートは、戸枠部の引き戸走行側の側部に設けられた上下方向に沿う溝内に取り付けられていることを特徴とする引き戸のシール装置。
【発明の詳細な説明】
【０００１】
【発明の属する技術分野】
本発明は、建具や家具などの引き戸のシール装置に関する。
【０００２】
【従来の技術】
一般に、家屋の部屋を仕切る壁に引き戸を設ける場合、図６に示すように、左右の壁１，１の間に開口部２を形成し、この開口部２に引き違いの引き戸を設けるか、或いは図示のように、引き戸一枚分の中間固定壁３を設けて、この中間固定壁３に沿って一枚の引き戸４を左右にスライドするように配設している。図６（ａ）は引き戸４が閉位置にあるときの簡略断面図であり、図６（ｂ）は引き戸４の開閉スライド時の簡略断面図であり、図６（ｃ）は引き戸４が開位置にあるときの簡略断面図である。なお、中間固定壁３の先端に設けられた柱枠５は中方立又は半方立と呼ばれ、左右壁１，１の先端に設けられた柱枠６は方立と呼ばれている。
【０００３】
中方立５の引き戸走行側に面する側面と引き戸４との間に隙間があると部屋間の遮蔽効果が劣化するので、できるだけこの隙間を小さくすることが要求される一方、中方立は木材製であるため長期使用中に小さな反りや曲げが生じることがあり、この反りが引き戸側にあらわれると引き戸に当たって開閉に支障を来すという問題があるため、中方立と引き戸との隙間はある程度確保せざるを得ない。
【０００４】
かかる隙間を塞いで遮蔽効果を高める従来の引き戸のシール装置としては、例えば、特許文献１に記載のものがある。この従来技術では、中方立の引き戸走行側に面する側面に長さ方向に沿った溝を設け、この溝に長尺の金属補強材を嵌め込み固定し、この金属補強材を覆い隠す装飾プレートを中方立の表面と面一となるように貼り付けるとともに、装飾プレートの表面に、引き戸との隙間を塞ぐ柔軟なシール部材を長さ方向に沿って設けることで、中方立の反りや曲げの発生を抑えつつ、遮蔽効果を一層高めるようにしている。
【０００５】
【特許文献１】
特開２００１−７３６４２号公報
【０００６】
【発明が解決しようとする課題】
しかし、シール部材が常時引き戸に押し付けられていると、引き戸の開閉操作時の摺動抵抗が増し、スムーズな動作に支障をきたすとともに、シール部材の劣化も早くなってしまう。
【０００７】
そこで、本発明は、中方立などの戸枠部と引き戸との隙間をシール部材により塞ぐことで引き戸を閉めたときの遮蔽効果を向上しつつも、引き戸の開閉動作の一層の円滑化を図るとともに、シール部材の劣化を防止することを目的とする。
【０００８】
【課題を解決するための手段】
本発明は、上記目的を達成するために、次の技術的手段を講じた。
【０００９】
すなわち、本発明は、上下方向に長尺の戸枠部に対して左右にスライドする引き戸と前記戸枠部との隙間を密閉する引き戸のシール装置であって、戸枠部の引き戸走行側の側部に前記引き戸に対して近接・離反可能に取り付けられる上下方向に長尺のプレートと、該プレートを引き戸側に付勢する付勢部材と、前記プレートに取り付けられ且つ前記引き戸の戸枠部側の側面に当接するシール部材とを備えるものである。かかる本発明によれば、引き戸の開閉操作時に引き戸に対するシール部材の接触圧が大きくなると、付勢部材の付勢力に抗してプレートが容易に後退するため、過度に引き戸の摺動抵抗が大きくなることがなく、円滑に引き戸を開閉することができるものでありながら、引き戸を閉じたときにはシール部材によって引き戸と戸枠部との隙間を塞ぎ、引き戸による遮蔽効果を一層向上することができる。なお、シール部材としては、モヘアテープ等の植毛体のほか、柔らかいシート状のゴム製品であってもよく、そのた適宜のものを用いることができる。また、本発明において、「密閉」とは、完全に通気性を遮断する意ではなく、目的に応じた遮蔽作用が得られる状態をいう。
【００１０】
上記本発明の引き戸のシール装置において、さらに、引き戸の開閉スライド時に前記プレートを付勢部材の付勢力に抗して押し込む密閉解除部が引き戸に設けられているものとするのが好ましい。これによれば、引き戸の開閉のためのスライド時には、シール部材が引き戸から離反するか若しくは殆ど摺動抵抗がなくなる程度になるように、密閉解除部によってプレートを押し込むことができるので、一層の開閉動作の円滑化とシール部材の耐久性向上とを図ることができる。
【００１１】
さらに、前記密閉解除部は左右方向に長尺であって且つ前記引き戸の戸枠部側の側面よりも戸枠部側に向けて突出しており、該密閉解除部が当接する前記プレートの部分には前記シール部材が設けられておらず、引き戸が閉位置にあるときは前記密閉解除部は前記プレートから離反するように構成するのが好ましい。これによれば、構造の簡素化並びに引き戸が閉位置にあるときの遮蔽効果の向上を図りつつ、引き戸の開閉時にはバー部材などの密閉解除部が戸枠部に対して左右方向に移動して、該密閉解除部がプレートの所定部分（シール部材が設けられていない部分）を押し込むことで、シール部材を引き戸から離反させることができる。より好ましくは、密閉解除部（解除バー）は、引き戸の上端部及び／又は下端部に設けるのがよい。これによれば、引き戸の意匠感を大きく損なうことなく、本発明のシール装置を構成できる。
【００１２】
また、前記プレートは、戸枠部の引き戸走行側の側部に設けられた上下方向に沿う溝内に取り付けられているのが好ましい。これによれば、引き戸の取り付けによって溝やプレートなどを引き戸により覆い隠すことができ、意匠感を向上することができる。また、プレートは、上下方向に沿う軸心回りに揺動するように戸枠部に取り付けることができる。この場合、付勢部材としては、ねじりコイルバネなどを用いることができ、該バネを、プレートを支持する支軸に装着することができる。
【００１３】
【発明の実施の形態】
以下、本発明の実施の形態を図示実施例に基づいて説明する。
【００１４】
図１〜図５は本発明の一実施例に係る引き戸のシール装置１０を示しており、該シール装置１０は、図６に示す形態の引き戸に好適に適用できるものである。
【００１５】
本実施例のシール装置１０は、中方立５（戸枠部）側に取り付けられる座板１１、支軸１２、アルミ製フラッププレート１３、ねじりコイルバネ１４並びにモヘアテープ（シール部材）１５と、引き戸４側に取り付けられる密閉解除バー（密閉解除部材）１６とから主構成されている。
【００１６】
座板１１は、プレート１３を揺動可能に中方立５に対して取付支持するためのものである。中方立５の引き戸走行側に面する側面には、上下方向（長さ方向）に沿った溝５ａが設けられ、この溝５ａに座板１１が嵌め込まれて木ねじ１７で固定される。この座板１１は、少なくとも、引き戸４の上下両端部近傍の２カ所に設けることができ、必要に応じて３カ所以上設けてもよい。
【００１７】
フラップ１３は、引き戸の上下方向ほぼ全長にわたる長尺の部材からなり、図示例では断面ほぼ末広がり状のコ字形に成形されているが、適宜の形状のものとすることができる。図示例のフラップ１３は、引き戸側の側面１３ａが上下に長尺の平坦面とされ、該側面１３ａがモヘアテープ１５の取付面とされている。そして、この取付面１３ａに連続する左右の側面１３ｂ，１３ｃは、密閉解除バー１６を案内するように左右内方に至るにしたがって引き戸側に近接する案内傾斜面とされている。フラップ１３の左右一端部には、座板１１に軸支するための筒状部１３ｄが設けられている。
【００１８】
そして、中方立５に取り付けられた座板１１に対して、支軸１２を介して揺動可能にフラップ１３が取り付けられる。さらに、支軸１２の軸方向中途部にはねじりコイルバネ１４が装着され、該バネ１４によってフラップ１３が引き戸４側に付勢されるようになっている。なお、該フラップ１３によって座板１１や木ねじ１７が覆い隠されるようになっている。
【００１９】
上記モヘアテープ１５は、フラップ１３の上記取付面１３ａの上下方向ほぼ全長にわたって貼着されているが、密閉解除バー１６が当接する部分（密閉解除部材作用部分）を避けて貼り付けるようにしている。
【００２０】
密閉解除バー１６は、図２に示すように、引き戸４の中方立５側の側面に取付固定されており、好ましくは、引き戸４の上端部近傍と下端部近傍の２カ所に取り付けられる。この密閉解除バー１６の左右両端部には、フラップ１３を円滑に通過できるように傾斜面１６ａが面取りされている。このバー１６は、引き戸４の左右方向ほぼ全長にわたる長尺状部材からなるが、引き戸４の左右寸法よりは短寸とされており、引き戸４の中方立５側の側面の左右両端部近傍にはバー１６が設けられないようにしている。
【００２１】
上記した実施例によれば、引き戸４が図６（ａ）に示す閉位置にあるとき、図３に示すように、密閉解除バー１６がフラップ１３から離反するため、バネ１４の付勢力によってフラップ１３が引き戸４側に付勢され、モヘアテープ１５が引き戸４の側面に押し付けられることにより中方立５と引き戸４との隙間が密閉される。
【００２２】
図６（ｂ）に示す引き戸４の開閉スライド時には、図４に示すように、密閉解除バー１６によりフラップ１３が溝５ａ内に押し込まれ、モヘアテープ１５が引き戸４から離反される。このとき、中方立５側と引き戸４側の接触部は、密閉解除バー１６とフラップ１３との当接部のみであるから、摺動抵抗が非常に少なく、引き戸４が閉位置にあるときの遮蔽効果の向上を図りつつも、スムーズな動作を保証している。
【００２３】
さらに、引き戸４が図６（ｃ）に示す全開位置にあるときにも、図５に示すように、密閉解除バー１６がフラップ１３から離反し、閉位置のときと同様に中方立５と引き戸４との隙間が密閉される。これにより、引き戸４を全開したまま長期間放置した場合に、引き戸４と中間壁３との間の隙間に埃がたまることを抑制できるとともに、バネ１４やモヘアテープ１５の劣化防止にも役立つ。
【００２４】
なお、枠部材は、上記実施例では中方立により構成されるが、本発明はこれに限定されるものではなく、フレーム状の枠体の縦枠部などでもよく、また、引き違い戸の一方の引き戸の左右側縁部を本発明の「枠部材」として用いて、引き違い戸の二枚の引き戸の間の隙間のシール装置として実施することも可能である。また、フラップ（プレート）は、引き戸の上下方向全長にわたる長さとするのが好ましいが、短寸の複数のフラップを上下方向に配設することも可能である。また、フラップは、引き戸に対して平行移動するように取り付けることもできる。
【００２５】
【発明の効果】
本発明によれば、中方立などの戸枠部と引き戸との隙間をシール部材により塞ぐことで引き戸を閉めたときの遮蔽効果を向上しつつも、引き戸の開閉動作の一層の円滑化を図るとともに、シール部材の劣化を防止することができる。したがって、バリアフリー住宅などにおいて、高齢者などでも軽く開閉できるとともに、遮蔽効果を高めることで光熱費や騒音を低減した住宅を提供できる。
【図面の簡単な説明】
【図１】本発明の一実施例に係る引き戸のシール装置の戸枠部側構成部品の分解斜視図である。
【図２】同シール装置の引き戸側の要部拡大斜視図である。
【図３】引き戸が閉位置にあるときの同シール装置の断面図である。
【図４】引き戸を開閉のためにスライドさせているときの同シール装置の断面図である。
【図５】引き戸が全開位置にあるときの同シール装置の断面図である。
【図６】引き戸の一例を示す簡略断面図であり、（ａ）は引き戸が閉位置にあるとき、（ｂ）は引き戸の開閉動作中、（ｃ）は引き戸が全開位置にあるときを示す。
【符号の説明】
４  引き戸
５  戸枠部（中方立）
１０  引き戸のシール装置
１１  座板
１２  支軸
１３  プレート（フラップ）
１４  付勢部材
１５  シール部材
１６  密閉解除部
【図１】
2004339848.tif 000003
【図２】
2004339848.tif 000004
【図３】
2004339848.tif 000005
【図４】
2004339848.tif 000006
【図５】
2004339848.tif 000007
【図６】
2004339848.tif 000008